(57)【要約】【課題】来場者のパーミッション（許可）のもとで来場者のコンタクトについての要望を含む名刺情報を登録／取得できる名刺情報登録装置を提供する。【解決手段】名刺情報登録装置１０は、アンケートの回答者に広告コンテンツを表示して広告コンテンツに対する回答者のアンケート入力を取込む表示入力部１１０と、回答者の名刺をスキャンし、イメージ画像と変換されたテキストとからなる名刺情報を読取る名刺情報読取部１２０と、名刺情報読取部１２０により読取られた名刺情報を記憶する記憶部１５０と、名刺情報に、表示入力部１１０により取込まれるアンケート入力を関連付け、記憶部１５０に登録する制御部１００と、を有する。【選択図】図３
2009288955.tif 000002
【特許請求の範囲】
【請求項１】
アンケートの回答者に広告コンテンツを表示して該広告コンテンツに対する前記回答者のアンケート入力を取込む表示入力部と、
前記回答者の名刺をスキャンし、名刺イメージ画像と変換されたテキストとからなる名刺情報を読取る名刺情報読取部と、
前記名刺情報読取部により読取られた名刺情報を記憶する記憶部と、
前記名刺情報に、前記表示入力部により取込まれるアンケート入力を関連付け、前記記憶部に登録する制御部と、を備える
ことを特徴とする名刺情報登録装置。
【請求項２】
前記名刺情報読取部は、前記表示入力部が前記アンケート入力結果を取込んだ後、前記表示入力部に表示される案内にしたがいセットされた名刺をスキャンし、前記名刺イメージ画像と変換された名刺テキストとからなる名刺情報を読取る
ことを特徴とする請求項１に記載の名刺情報登録装置。
【請求項３】
前記名刺をスキャンするときに前記表示入力部により前記アンケート入力を行なう個人の同意を得て撮影される顔写真を取込む撮像部を備え、
前記制御部は、前記名刺情報に、前記撮像部により撮影され取得される前記個人の顔写真を関連付け、前記記憶部に登録する
ことを特徴とする請求項１または請求項２に記載の名刺情報登録装置。
【請求項４】
前記制御部は、前記表示入力部が前記アンケート入力結果を取込み、前記表示入力部に表示される案内にしたがい名刺がセットされた場合、前記表示入力部に抽選イベント画面を表示し、前記表示入力部の操作入力を待って抽選処理を行い、前記抽選処理の結果を前記名刺情報に関連付けて前記記憶部に登録する
ことを特徴とする請求項１から請求項３のいずれか１項に記載の名刺情報登録装置。
【請求項５】
前記制御部は、前記名刺情報を第１のセキュリティコードにより暗号化して前記記憶部に書込み、前記名刺情報の参照に先立ち入力される第２のセキュリティコードの一致により前記記憶部に書込まれた名刺情報の参照を許可する
ことを特徴とする請求項１から請求項４のいずれか１項に記載の名刺情報登録装置。
【請求項６】
前記制御部は、電子看板に表示された広告コンテンツと時間同期をとって前記表示入力部により前記アンケート入力の取込みを行なう
ことを特徴とする請求項１に記載の名刺情報登録装置。
【請求項７】
少なくとも、撮像部と、表示入力部とを備えたハンディターミナルが無線接続される通信部を備え、
前記制御部は、前記ハンディターミナルの撮像部により撮影され転送される名刺イメーシ画像と、前記ハンディターミナルの表示入力部により取込まれるアンケート入力とを、前記通信部を介して取得し、前記記憶部に関連付けて登録する
ことを特徴とする請求項１に記載の名刺情報登録装置。
【請求項８】
非接触ＩＣタグを有する携帯電話が特定の場所に近づけられたことを検出した場合に、前記非接触ＩＣタグから一定周期で発行されるポーリングコマンドに対する応答として、前記携帯電話に前記広告コンテンツを提供する企業のアクセス先を送信する非接触ＩＣタグリーダライタ部を備える
ことを特徴とする請求項１に記載の名刺情報登録装置。
【請求項９】
名刺情報登録装置と、前記名刺情報登録装置とは、第１、第２のネットワークを介して接続される、それぞれ閲覧装置と、外部装置と、を有する名刺情報登録システムであって、
前記名刺情報登録装置は、
アンケートの回答者に広告コンテンツを表示して該広告コンテンツに対する回答者のアンケート入力を取込む表示入力部と、前記回答者の名刺をスキャンし、名刺イメージ画像と変換されたテキストとからなる名刺情報を読取る名刺情報読取部と、前記名刺情報読取部により読取られた名刺情報を記憶する記憶部と、前記名刺情報に、前記表示入力部により取込まれるアンケート入力を関連付け、前記記憶部に登録する制御部と、を備え、
前記閲覧装置もしくは前記外部装置は、
前記名刺情報登録装置に対し前記第１、第２のネットワークを介して予め割当てられたセキュリティコードに基づく名刺情報閲覧要求を送信し、前記名刺情報登録装置が前記セキュリティコードに基づき特定された個人、もしくは個人が所属するグループを単位に予め設定されたアクセス権限にしたがい前記記憶部を検索して得られる名刺情報を、前記第１、第２のそれぞれのネットワークを介して受信する
ことを特徴とする名刺情報登録システム。
【請求項１０】
広告コンテンツを表示してアンケート入力を取込む表示入力部と、名刺情報を読取る名刺情報読取部と、前記名刺情報を記憶する記憶部と、前記表示入力部、前記名刺情報読取部、前記記憶部を制御する制御部と、を備える名刺情報登録装置における名刺情報登録方法であって、
前記表示入力部が、前記制御部により生成される広告コンテンツを表示するステップと、
前記表示入力部が、前記広告コンテンツに対するアンケート入力を取込むステップと、
前記名刺情報読取部が、前記表示入力部により前記アンケート入力が取込まれた後、前記表示入力部に表示される案内にしたがい名刺がセットされたことを契機に前記名刺をスキャンし、名刺イメージ画像と変換されたテキストとからなる名刺情報を読取るステップと、
前記制御部が、前記読取られた名刺情報に、前記表示入力部により取込まれるアンケート入力を関連付けて前記記憶部に登録するステップと、を有する
ことを特徴とする名刺情報登録方法。
【発明の詳細な説明】
【技術分野】
【０００１】
本発明は、例えば、店舗やショールーム、あるいは展示会場等に設置して好適な、名刺情報登録装置、名刺情報登録システム、および名刺情報登録方法に関するものである。
【背景技術】
【０００２】
名刺交換は、ビジネスコンタクトをはかるうえでの起点として従来から行われてきた。名刺には、定型の大きさの紙に、社名、所属部署、肩書き、氏名、電話やメールアドレス等の連絡先等、ビジネスを展開していくうえで必要な様々な情報が記載されている。このため、相手方と名刺交換を行なうことで、双方の情報を手元に残せることから、企業活動活性化のための有益な情報ツールとして重宝されてきた。
【０００３】
前記した名刺が持つ情報をより有効に活用するために、名刺の情報をデータベース化するシステムが個人情報管理ツールとして従来いくつか存在する。また、そのためのパッケージソフトウェアも市場に多数流通している。更に、名刺データベースをサーバ上に構築し、社員や加盟店等、登録されたメンバ間で名刺を共有管理するシステムも知られている（例えば、特許文献１、特許文献２参照）。
【特許文献１】特開２００１−３３７９７７号公報（段落０００４〜００１４、図２）
【特許文献２】特開２００５−４３９７号公報（段落０００９〜００１６、図１）
【発明の開示】
【発明が解決しようとする課題】
【０００４】
ところで、店舗やショールーム、あるいは展示会場等を訪れる来場者は、新しい商品やサービスとの出会いを求めて来場する。そして、そこで自分が興味のある新しい商品やサービスに出会うことが出来れば来場の目的に合致し、また、出会いに誘導してくれる説明員に遭遇できれば更によい。
【０００５】
しかしながら、そのようなケースは少なく、なんとなく気になる商品やサービスに出会ったとしても、本当に自分が欲しているものか否か、もう少し詳細な説明が欲しいことが多々ある。あるいは、他の商品やサービスとの比較がしてみたい等の要望があっても説明員からは解決する答えを引き出せないことも多々あった。また、その場では疑問に思わなかったことが後日聞いてみたくなることもある。
【０００６】
そういう意味では「コンタクトポイント」はいつも完結していないことを意味し、大切なことはその後もコンタクトが継続することである。勿論、その仲介役となるのが人間であり、説明員といわれる人たちの大きな役割である。
【０００７】
しかしながら、来場者の中には、説明員が他の来場者に対応しているため、自分が望む説明が聞けない場合がある。あるいは、そもそも説明員とのコンタクトに煩わしさを感じる人も大勢いる。特に、展示会等において、出展企業の最大の目的は、自社の商品やサービスに関心を持ってくれた人たちとのコンタクトの実現である。そういった意味では、前記した名刺の交換、あるいは取得は、出展企業の最大の関心事だといえる。
【０００８】
ところで、通常、受付カウンタにいる受付担当者や説明員が取得した名刺は、展示会が終了すれば人海戦術で労力を割いて整理し、そして、後日の商談等におけるコンタクトのためのデータベースとして機械化していく。
【０００９】
しかしながら、実は、その際に完成するデータベースには単に名刺情報が登録されるだけであり、来場者個々のその後のコンタクトの希望についての有無や程度、あるいは情報についは反映されていないのが普通である。換言すれば、構築したデータベースは、均一な来場者情報にしかなりえないことを意味する。
【００１０】
本発明は、前記した課題を解決するためになされたものであり、来場者のパーミッション（許可）のもとで来場者のコンタクトについての要望を含む名刺情報を登録／取得できる名刺情報登録装置、名刺情報登録システム、および名刺情報登録方法を提供することを目的とする。
【課題を解決するための手段】
【００１１】
前記した課題を解決するために本発明の名刺情報登録装置は、広告コンテンツを表示してアンケート入力を取込む表示入力部と、名刺をスキャンし、名刺イメージ画像と変換されたテキストとからなる名刺情報を読取る名刺情報読取部と、名刺情報読取部により読取られた名刺情報を記憶する記憶部と、名刺情報に、表示入力部により取込まれるアンケート入力を関連付け、記憶部に登録する制御部と、を備えるものである。
【００１２】
また、本発明の名刺情報登録システムは、名刺情報登録装置と、名刺情報登録装置とは、第１、第２のネットワークを介して接続される、それぞれ閲覧装置と外部装置と、を有する名刺情報登録システムであって、名刺情報登録装置は、広告コンテンツを表示してアンケート入力を取込む表示入力部と、名刺をスキャンし、名刺イメージ画像と変換されたテキストとからなる名刺情報を読取る名刺情報読取部と、名刺情報読取部により読取られた名刺情報を記憶する記憶部と、名刺情報に、表示入力部により取込まれるアンケート入力を関連付け、記憶部に登録する制御部と、を備え、閲覧装置もしくは外部装置は、名刺情報登録装置に対し第１、第２のネットワークを介して予め割当てられたセキュリティコードに基づく名刺情報閲覧要求を送信し、名刺情報登録装置がセキュリティコードに基づき特定された個人、もしくは個人が所属するグループを単位に予め設定されたアクセス権限にしたがい記憶部を検索して得た名刺情報を、第１、第２のネットワークを介して受信するものである。
【００１３】
また、本発明の名刺情報作成方法は、広告コンテンツを表示してアンケート入力を取込む表示入力部と、名刺情報を読取る名刺情報読取部と、名刺情報を記憶する記憶部と、表示入力部、名刺情報読取部、記憶部を制御する制御部と、を備える名刺情報登録装置における名刺情報登録方法であって、表示入力部が、制御部により生成される広告コンテンツを表示するステップと、表示入力部が広告コンテンツに対するアンケート入力を取込むステップと、名刺情報読取部が、表示入力部によりアンケート入力が取込まれた後、表示入力部に表示される案内にしたがい名刺がセットされたことを契機に名刺をスキャンして名刺イメージ画像と変換されたテキストとからなる名刺情報を読取るステップと、制御部が、読取られた名刺情報に表示入力部により取込まれるアンケート入力を関連付けて記憶部に登録するステップと、を有するものである。
【発明の効果】
【００１４】
本発明によれば、来場者のパーミッション（許可）のもとで来場者のコンタクトについての要望を含む名刺情報を登録／取得できる。
【発明を実施するための最良の形態】
【００１５】
以下、本発明の実施の形態に係る名刺情報登録装置およびシステムならびに名刺情報登録方法について図面を参照しながら詳細に説明する。
図１は、本発明の実施の形態に係る名刺情報登録装置１０の外観構造を示す図である。ここでは、斜視図、および来場者と対向する前面から見た形状、裏面から見た形状のそれぞれを、図１（ａ）、図１（ｂ）、図１（ｃ）として示している。
【００１６】
名刺情報登録装置１０は、ここでは、店舗やショールーム、あるいは展示会場等に複数台設置されものとする。また、会場を訪れる来場者は、自身で、もしくは説明員のアシストのもとで来場者が名刺情報登録装置１０を操作することによりアンケート入力を行い、かつ、案内にしたがい来場者自身が名刺を読取らせ、ここで読取られ構築される名刺情報（後記する名刺情報ＤＢ２００（図４参照））は、商談等、後日のコンタクトに役立たせるために、出展企業の従業員に所定のセキュリティポリシーの下に公開するものとして説明する。
【００１７】
なお、ここでいう「アンケート」とは、来場者に出展者のどの商品やサービスに興味を持ってもらったか、あるいはその後のコンタクトをどのような形態で望んでいるのかについての回答を項目として含むものとする。
【００１８】
図１に示されるように、本発明の実施の形態に係る名刺情報登録装置１０は、名刺情報登録装置本体１０ａと、名刺収納箱１０ｂと、から構成される。名刺情報登録装置本体１０ａには、筐体内に、ＬＣＤ（Liquid Crystal Display Device）タッチパネル１と、名刺リーダ２と、カメラ３と、非接触ＩＣタグリーダライタ４が、周辺デバイスとして実装されており、名刺情報登録装置本体１０ａに内蔵された不図示の制御基板によって制御されるものとする。
【００１９】
ＬＣＤタッチパネル１は、企業イメージや商品広告等の広告コンテンツを表示して操作入力（ここではアンケート入力）を取込み、名刺リーダ２は、名刺挿入口に挿入される名刺をスキャンし、名刺イメージ画像と変換されたテキストデータからなる名刺情報を生成し、それぞれ前記した制御基板に出力する。また、カメラ３は、来場者の同意のもとで来場者の顔写真（上半身）を撮影し、非接触ＩＣタグリーダライタ４は、来場者が携行する非接触ＩＣタグ（ＲＦＩＤ：Radio Frequency ID）を有する携帯電話がセンサ面に近づけられたときに、携帯電話（非接触ＩＣタグ）に広告元となる企業のＵＲＬ（Uniform Resource Locator）を書き込むためのものである。
【００２０】
なお、名刺リーダ２として、ここでは、市販の名刺ＯＣＲ（Optical Character Reader）を用いることとする。名刺ＯＣＲは、名刺をスキャンすることにより生成される名刺そのものの名刺イメージ画像と、その名刺イメージ画像をＯＣＲ変換した結果生成されるテキストデータとを出力するものである。また、カメラ３による来場者の顔写真の撮影は、来場者の許可の下に行なうものとする。また、非接触ＩＣタグリーダライタ４によるＵＲＬ書込みの対象は、来場者が携行するＲＦＩＤが実装された携帯電話とする。
【００２１】
名刺収納箱１０ｂは、名刺読取り後、名刺リーダ２によって排出される名刺が内部の案内ガイド（不図示）に沿ってローディングされスタックされる構造になっている。また、名刺収納箱１０ｂは、図１（ｃ）に示されるように、施錠可能なボックス形状になっており、開口部５に取り付けられる錠６の有無については組織の名刺管理運用ルールに委ねられるものとする。
【００２２】
なお、後日のコンタクトに役立てる名刺情報ＤＢ２００（図４参照）を構築するために、名刺情報登録装置１０とは別に、不特定多数の来場者が集まる展示会場等では、名刺情報登録装置１０に無線ＬＡＮ（Local Area Network）等の近距離無線通信が可能な複数のハンディターミナル１８（図２参照）を活用することも可能である。
【００２３】
図２は、ハンディターミナルの外観構造の一例を示す図である。図２（ａ）に示すハンディターミナル１８は、正面にＬＣＤタッチパネル１８１が、また、図２（ｂ）に示す背面にカメラ１８３が実装されており、更に、正面に実装されるキースイッチ１８２により説明員がカメラ１８３を操作して来場者の名刺を撮影し、無線ＬＡＮ経由で名刺情報登録装置１０へ転送する。なお、このとき、来場者のパーミッションは、事前にＬＣＤタッチパネル１８１を介して入力されるものとする。
【００２４】
図３は、名刺情報登録装置の制御基板の内部構成を示すブロック図である。図３に示されるように、本発明の実施の形態に係る名刺情報登録装置１０は、制御部１００を制御中枢とし、表示入力部１１０と、名刺情報読取部１２０と、撮像部１３０と、非接触ＩＣタグＲ／Ｗ（Reader/Writer）部１４０と、記憶部１５０と、通信部１６０と、により構成され、いずれも、アドレスデータコントロールのためのラインが複数本で構成されるシステムバス１７０を介して共通接続されている。
【００２５】
表示入力部１１０は、制御部１００により生成される広告コンテンツをＬＣＤタッチパネル１に表示して来場者によるアンケート入力を取込み、制御部１００へ出力する。また、名刺情報読取部１２０は、名刺リーダ２により来場者の名刺をスキャンすることにより、名刺イメージ画像と変換されたテキストからなる名刺情報を生成して制御部１００へ出力する。また、撮像部１３０は、カメラ３により撮影された来場者の顔写真から画像情報を生成して制御部１００へ出力する。
【００２６】
また、非接触ＩＣタグＲ／Ｗ部１４０は、センサ面に、来場者が携行するＲＦＩＤを有する携帯電話が近づけられたときに、そのＲＦＩＤに出展企業のＵＲＬを送信するためのものである。すなわち、非接触ＩＣタグＲ／Ｗ部１４０は、３者間通信機能（ＲＦＩＤを有する携帯電話から一定周期で発行されるポーリングコマンドに対する応答機能）に対応しており、ポーリングコマンドを受信した非接触ＩＣタグＲ／Ｗ部１４０は、その応答として前記したＵＲＬを携帯電話が有するＲＦＩＤに送信し、このＵＲＬを受信したＲＦＩＤは、ＵＲＬを携帯電話の専用データフォルダに保存するとともに、携帯電話が有する表示モニタに表示する。なお、ここで、３者間通信の３者とは、ＲＦＩＤ、携帯電話、非接触ＩＣタグＲ／Ｗ部１４０のことをいう。この仕組みは、例えば、ＮＴＴドコモ社の「トルカ」（登録商標）や、ａｕ社の「ａｕケイタイクーポン」（登録商標）により周知である。
【００２７】
撮像部１３０は、ＣＣＤ（Charge Coupled Device）やＣＭＯＳ（Complementary Metal Oxide Semiconductor）イメージセンサ等の光電変換素子とその制御回路等により構成されるカメラ３を含む。
【００２８】
制御部１００は、名刺情報読取部１２０によって読取られ生成される名刺情報に、表示入力部１１０により表示された広告コンテンツに対して同じく表示入力部１１０を介して取込まれるアンケート入力、および撮像部１３０により撮影され生成される画像、あるいは必要に応じて後記する抽選処理の結果を関連付けて記憶部１５０に登録する機能を有する。ここで記憶される名刺情報は、名刺情報ＤＢ２００として制御部１００により管理される。データ構造等の詳細は後記する。
【００２９】
通信部１６０は、ＴＣＰ／ＩＰ（Transmission Control Protocol／Internet Protocol）等、所定のプロトコルにしたがい、例えば、後記するＬＡＮ経由で接続される閲覧専用ビューア、あるいは無線通信網およびＩＰ網経由で接続される外部装置である携帯電話等との通信を行なう。通信部１６０はまた、無線ＬＡＮ経由で接続されるハンディターミナル１８との間で近距離無線通信により、ハンディターミナル１８から取得される名刺情報を制御部１００に出力する。
【００３０】
制御部１００は、閲覧専用ビューア、あるいは携帯電話から送信される名刺閲覧要求に基づき、特定される個人名、もしくは個人が所属するグループを単位に予め設定されたアクセス権限にしたがって記憶部１５０（名刺情報ＤＢ２００）を検索して得られる名刺情報を、通信部１６０を介し、要求のあった閲覧専用ビューア、あるいは携帯電話に送信する。
【００３１】
なお、ここで、アクセス権限についての補足説明を行なう。ここでは、管理者により名刺１枚毎に後日コンタクトを担当する従業員が割当てられ、その従業員、および同じ部署に属する部課員に対してのみアクセスを許可するものとする。また、管理者の名刺閲覧要求についてはアクセス制限なしとするが、第三者によるアクセスについては、例えば、組織内においてコンタクトを担当する個人が所属する部門の上司他、数名に対してのみアクセスを許可し、他の部課員、あるいは他事業場の社員についてはアクセス制限を行なう。これは、運用ルールにしたがい予め管理者により設定されるものとする。
【００３２】
図４は、名刺情報登録装置の名刺情報ＤＢのデータ構造の一例を示す図である。記憶部１５０に記憶される名刺情報（名刺情報ＤＢ２００）は、図４（ａ）、図４（ｂ）、図４（ｃ）、図４（ｄ）、図４（ｅ）、図４（ｆ）、図４（ｇ）に示される。名刺情報は、図４（ａ）に示す制御部１００により生成される１０バイトの商品コード、ＬＣＤタッチパネル１が操作され、表示入力部１１０を介して制御部１００により取得されるアンケート入力項目である各１バイトのパーミッションコード＃１、＃２、図４（ｂ）に示す１０バイトの会場コード、１０バイトの設置コード、１０バイトの日付時刻、図４（ｃ）に示す後日コンタクトの内容を示す合計３０バイトのリザルトコード＃１、＃２、＃３、図４（ｄ）に示す名刺リーダ２によって読出され名刺情報読取部１２０を介して制御部１００により生成されるｘｘバイトの名刺テキスト変換データ、図４（ｅ）に示す名刺情報読取部１２０によって制御部１００に取込まれるｙｙキロバイトのｊｐｅｇ（joint photographic experts group）形式の名刺イメージ画像データ、図４（ｆ）に示すカメラ３により撮影され撮像部１３０を介して制御部１００によって取込まれるｚｚキロバイトのｊｐｅｇ形式の顔画像データ、図４（ｇ）に示す必要に応じて制御部１００により実行される１バイトの抽選結果データ、の各データ項目により構成される。なお、図４（ｄ）名刺テキスト変換データとしては、例えば、氏名、会社名、所属部署、役職、連絡先、他が設定される。
【００３３】
図５は、ハンディターミナル１８の内部構成を示すブロック図である。図５に示されるように、ハンディターミナル１８は、ＣＰＵ１８０を制御中枢とし、ＬＣＤタッチパネル１８１と、カメラ操作を行なうキースイッチ１８２と、カメラ１８３と、プログラムが記録されるＲＡＭ１８４と、無線ＬＡＮアダプタ１８５と、により構成される。これらは、いずれも、アドレスデータコントロールのためのラインが複数本で構成されるシステムバス１８６介して共通接続される。
【００３４】
ハンディターミナル１８は、前記したように、説明員がカメラ１８３を操作して来場者の名刺を撮影し、得られる名刺イメージ画像を無線ＬＡＮアダプタ１８５経由で名刺情報登録装置１０へ転送する。なお、このとき、来場者のパーミッション（アンケート入力）は、ＬＣＤタッチパネル１８１を介して操作入力するものとする。
【００３５】
図６は、名刺情報登録装置１０の制御部１００が実行するプログラムの構成を機能展開して示したブロックである。図６に示されるように、制御部１００は、主制御部１０１と、表示情報生成部１０２と、描画・表示制御部１０３と、画像記憶部１０４と、データ入力取得部１０５と、名刺画像取得部１０６と、ＯＣＲ変換部１０７と、顔画像取得部１０８と、名刺情報生成部１０９と、暗号化処理部１２１と、抽選処理部１１１と、転送データ受信部１１２と、電子看板同期化部１１３と、ＵＲＬ送信部１１４と、要求受信部１１５と、アクセス認証部１１６と、名刺情報検索部１１７と、名刺情報送信部１１８と、名刺情報受信部１１９と、名刺情報更新部１２２と、により構成される。
【００３６】
表示情報生成部１０２は、企業イメージや商品広告の広告コンテンツ、あるいは名刺のセット方法（投入方法）に関する案内情報等の表示情報を生成する機能を有し、ここで生成された表示情報を描画・表示制御部１０３へ出力する。描画・表示制御部１０３は、表示情報生成部１０２により生成された表示情報を画像記憶部１０４に高速転送することにより描画し、また、描画された表示情報を表示入力部１１０の表示タイミングに同期して読出し表示のために表示入力部１１０へ供給する。なお、画像記憶部１０４には、少なくとも表示入力部１１０の１画面分の記憶容量を有するＲＡＭが割り付けられており、また、専用のメモリを用いても、あるいは記憶部１５０の一部領域が割り付けられてもよい。
【００３７】
データ入力取得部１０５は、表示入力部１１０により操作入力された座標データを取得し、商品コードやパーミッションコード等に変換する機能を有し、ここで変換された商品コードやパーミッションコードは、名刺情報生成部１０９へ出力される。名刺画像取得部１０６は、名刺情報読取部１２０によりスキャンされ生成される名刺イメージ画像を取得する機能を有し、ここで取得された名刺イメージ画像は、ＯＣＲ変換部１０７および名刺情報生成部１０９へ出力される。
【００３８】
ＯＣＲ変換部１０７は、名刺画像取得部１０６により出力される名刺イメージ画像から名刺テキスト変換データを生成する機能を有し、ここで生成された名刺テキスト変換データは、名刺情報生成部１０９へ出力される。顔画像取得部１０８は、撮像部１３０により撮影される生成される来場者の顔画像データを取得する機能を有し、ここで取得されたか顔画像データは、名刺情報生成部１０９へ出力される。
【００３９】
転送データ受信部１１２は、ハンディターミナル１８から通信部１６０を介して転送される名刺イメージ画像、および名刺テキスト変換データを受信して名刺情報生成部１０９へ出力する。なお、転送データ受信部１１２は、名刺イメージ画像のみ受信し、受信した名刺イメージ画像をＯＣＲ変換部１０７へ出力し、ＯＣＲ変換部１０７で生成される名刺テキスト変換データを名刺情報生成部１０９へ出力してもよい。
【００４０】
抽選処理部１１１は、例えば、来場者が名刺情報読取部１２０に名刺をセットしたときに表示入力部１１０に抽選イベント画面を表示し、来場者が抽選イベント画面に表示される特定の項目を選択したときに、例えば、乱数抽選を行い、結果を名刺情報生成部１０９へ出力する。
【００４１】
名刺情報生成部１０９は、データ入力取得部１０５が取得したアンケート入力の結果である商品コードやパーミッションコード、名刺画像取得部１０６が取得した名刺イメージ画像、ＯＣＲ変換部１０７により生成された名刺テキスト変換データ、顔画像取得部１０８が取得した来場者の顔画像、抽選処理部１１１による抽選結果、転送データ受信部１１２が受信した名刺イメージ画像、のそれぞれを関連付け（紐付け処理）、暗号化処理部１２１へ出力する。
【００４２】
暗号化処理部１２１は、名刺情報生成部１０９により生成される名刺情報を第１のセキュリティコード（暗号化コード）に基づいて暗号化を行い、主制御部１０１経由で記憶部１５０に書き込む。なお、書込み先は、記憶部１５０に限らず、名刺情報登録装置１０とは独立して設けられる専用のストレージ装置としてもよい。この場合、一層のセキュリティ効果が得られる。
【００４３】
電子看板同期化部１１３は、企業イメージ、あるいは商品広告が電子看板（デジタルサイネージ）に表示された場合、表示入力部１１０を介して操作されるアンケート入力項目と時間同期をとる機能を有し、名刺情報生成部１０９が、アンケート入力と名刺情報とを関連付けるときのタイミング制御を行なう。
【００４４】
ＵＲＬ送信部１１４は、非接触ＩＣタグＲ／Ｗ部１４０のセンサ面に来場者が携行するＲＦＩＤを有する携帯電話が近づけられたことを検出し、３者間通信により、固定のＵＲＬ、ここでは企業のアクセスサイトのＵＲＬを送信する機能を有する。
【００４５】
要求受信部１１５は、後記する閲覧専用ビューアを有するユーザＰＣ、あるいは携帯電話等の外部装置（いずれも図１２参照）により生成され通信部１６０を介して受信される名刺データ閲覧要求、あるいは後記する管理者装置（図１２参照）により生成され通信部１６０を介して受信される名刺データの誤認識チェック要求をアクセス認証部１１６へ出力する機能を有する。
【００４６】
アクセス認証部１１６は、前記した名刺データ閲覧要求および誤認識チェック要求に付属の第２のセキュリティコード（ＩＤ、パスワード等）を認証するとともに、要求先のそれぞれに設定されてあるアクセス権限の判定を行い、後記する名刺情報検索部１１７による名刺情報の検索範囲、ならびに名刺情報送信部１１８による名刺情報の送信を制御する。
【００４７】
名刺情報検索部１１７は、名刺情報閲覧要求、誤認識チェック要求に基づき記憶部１５０に記憶された名刺情報ＤＢ２００を検索し、ヒットした名刺情報を名刺情報送信部１１８へ出力する。名刺情報送信部１１８は、名刺情報検索部１１７により検索された名刺情報を、主制御部１０１および通信部１６０経由で要求のあった閲覧専用ビューアを有するユーザＰＣ、もしくは管理者装置へ送信する。
【００４８】
名刺情報受信部１１９は、管理者装置による名刺情報の誤認識チェックの結果送信される修正後の名刺情報を、通信部１６０、主制御部１０１を介して受信して名刺情報更新部１２２へ出力する。名刺情報更新部１２２は、管理者装置１１（図１２参照）により修正された名刺情報に基づき記憶部１５０の所定の領域に割当てられ記憶される名刺情報ＤＢ２００を更新する。
【００４９】
主制御部１０１は、記憶部１５０に記憶された名刺情報に、表示入力部１１０により表示された広告コンテンツに対して取込まれるアンケート入力を関連付ける（名刺情報ＤＢ２００の作成）制御部１００としての機能、および、セキュリティコードに基づく名刺情報閲覧要求を送信し、当該セキュリティコードに基づき特定された個人、もしくは個人が所属するグループを単位に予め設定されたアクセス権限にしたがい記憶部１５０を検索して得た名刺情報を送信する（名刺情報ＤＢ２００の公開）、制御部１００としての機能を実現するために、前記した各機能ブロック（符号１０２〜１２２）のシーケンス制御を行なう。
【００５０】
また、主制御部１０１は、前記した、表示入力部１１０、名刺情報読取部１２０、撮像部１３０、非接触ＩＣタグＲ／Ｗ部１４０、記憶部１５０、通信部１６０等、周辺制御ブロックとのインタフェースの機能も司る。
【００５１】
なお、前記した各機能は、いずれも制御部１００を構成するマイクロプロセッサが、内蔵する、もしくは外付けされるメモリ（記憶部１５０）に記録されたプログラムを逐次読出し実行することにより、周辺制御ブロックを構成する周辺制御ＬＳＩ（Large Scale Integration）と協働して動作することにより実現されるものである。
【００５２】
図７、図８は、名刺情報登録装置の名刺情報作成動作を示すフローチャートである。また、図９〜図１１は、名刺情報登録装置の画面遷移を示す図である。以下、図７、図８に示すフローチャート、および図９〜図１１に示す画面遷移図を参照しながら、図６に示す名刺情報登録装置１０の制御部１００の動作について詳細に説明する。
【００５３】
制御部１００（主制御部１０１）は、まず、表示情報生成部１０２が企業イメージ画像を動画再生するための表示情報を生成し、描画・表示制御部１０３がその表示情報を画像記憶部１０４に転送し描画する。また、描画・表示制御部１０３は、表示入力部１１０の表示タイミングに同期して画像記憶部１０４に描画された表示情報を読取ることにより、表示入力部１１０に、例えば、図９（ａ）にその画面構成の一例が示される企業イメージの表示を行なう（ステップＳ７０１）。ここでは、企業イメージ画像が動画再生され、「コンタクトをご希望の方は画面をタッチしてください」との案内表示も合わせて行なうものとする。
【００５４】
ここで、表示入力部１１０に表示された企業イメージ画面を閲覧した来場者により、画面の一部がタッチされた場合（ステップＳ７０２“Ｙｅｓ”）、これを検出した表示入力部１１０は、主制御部１０１、および描画・表示制御部１０３による制御の下、例えば、図９（ｂ）に示す静止画による商品広告画面に切り替わる（遷移する）（ステップＳ７０３）。タッチ操作が無い場合は（ステップＳ７０２“Ｎｏ”）、ステップＳ７０１に戻り、タッチ操作があるまで動画再生を続ける。
【００５５】
次に、来場者が、希望の商品釦を選択して画面をタッチした場合（ステップＳ７０４“Ｙｅｓ”）、データ入力取得部１０５は、該当の商品コードを取得して名刺情報生成部１０９へ出力する（ステップＳ７０５）。同時に、表示入力部１１０に表示される画面は、例えば、図１０（ａ）に示されるアンケート入力画面に遷移する（ステップＳ７０６）。なお、選択入力がなかった場合は（ステップＳ７０４“Ｎｏ”）、データ入力取得部１０５は、来場者が希望の商品釦を押すことによる選択入力があるまで待つ。
【００５６】
ここで、来場者が表示入力部１１０によりアンケートに対して回答を行なう（操作入力を行なう）と、それぞれに該当する画面に遷移する。すなわち、アンケート項目「１．詳しい情報を知りたい」をタッチした場合は、図１０（ｂ）に示す更なるアンケート画面に遷移し、アンケート項目「２．カタログを送付してほしい」をタッチした場合は、表示入力部１１０の画面に、例えば、図１１（ｂ）に示すパーミッション画面が表示される。
【００５７】
表示入力部１１０のＬＣＤ画面を閲覧した来場者が、図１０（ｂ）に示す、更なるアンケート画面のアンケート項目「１．会って詳しい説明をしてほしい」をタッチすると、図１１（ａ）に示すパーミッション画面に遷移する。
【００５８】
表示入力部１１０のＬＣＤ画面に、図１１（ａ）、図１１（ｂ）に示すパーミッション画面が表示され、来場者が釦「同意する」をタッチすると（ステップＳ７０７“Ｙｅｓ”）、主制御部１０１による制御の下でデータ入力取得部１０５は、パーミッションコードを取得し、名刺情報生成部１０９へ出力する（ステップＳ７０８）。なお、前記したパーミッション画面には、名刺セット、顔写真撮影に関する案内表示も行われる（ステップＳ７０９）。一方、選択入力がなかった場合は（ステップＳ７０７“Ｎｏ”）、データ入力取得部１０５は、アンケート項目に対して回答する選択入力があるまで待つ。
【００５９】
来場者のパーミッションを得た場合（図８のステップＳ７１０“Ｙｅｓ”）、主制御部１０１は、撮像部１３０を起動し、顔画像取得部１０８により来場者の顔画像データを取得し（ステップＳ７１１）、また、名刺情報読取部１２０によりセットされた名刺を読取り、名刺画像取得部１０６で名刺イメージ画像を、ＯＣＲ変換部１０７によりその名刺テキストデータに変換して（名刺テキスト変換データ生成）、それぞれを名刺情報生成部１０９へ出力する（ステップＳ７１２）。来場者のパーミッションが得られなかった場合は（ステップＳ７１０“Ｎｏ”）、後記するステップＳ７１３の抽選イベント画面表示に遷移する。
【００６０】
このとき、主制御部１０１は、抽選処理部１１１を起動し、必要に応じて表示入力部１１０のＬＣＤ画面に、例えば、スロット等の抽選イベント画面を表示し（ステップＳ７１３）、来場者に対してスロットの停止応答を促す。ここで、来場者がスロットの停止操作を行った場合（ステップＳ７１４“Ｙｅｓ”）、抽選処理部１１１は、操作を行ったタイミングで乱数による抽選を行い、当選の有無を判定して、その結果を名刺情報生成部１０９へ出力する（ステップＳ７１５）。また、来場者によるスロットの停止応答が無かった場合は（ステップＳ７１４“Ｎｏ”）、一定時間、その応答を待つ。一定時間内に応答が無かった場合は抽選を無効とする。
【００６１】
データ入力取得部１０５、名刺画像取得部１０６、ＯＣＲ変換部１０７、顔画像取得部１０８のそれぞれから、パーミッションコード、名刺イメージ画像、名刺テキスト変換データ、顔画像データのそれぞれを得た名刺情報生成部１０９は、入力データ項目のそれぞれを紐付け、関連付けることにより、例えば、図４にそのデータ構造の一例が示される名刺情報を組み立て、暗号化処理部１２１へ出力する（ステップＳ７１６）。
【００６２】
暗号化処理部１２１は、名刺情報生成部１０９により出力される名刺情報に、セキュリティコードに基づく暗号化を行い、記憶部１５０の所定の領域に割当てられた名刺情報ＤＢ２００へ書き込む（ステップＳ７１７）。また、後日、商談等のコンタクトがあった場合（ステップＳ７１８“Ｙｅｓ”）、データ入力取得部１０５は、コンタクトの内容に則したリザルトコードを取得し（ステップＳ７１９）、このとき、名刺情報生成部１０９は、名刺情報ＤＢ２００を更新する（ステップＳ７２０）。コンタクトがなかった場合は（ステップＳ７１８“Ｎｏ”）、名刺情報生成部１０９は、コンタクトの結果を待って名刺情報ＤＢ２００を更新する。
【００６３】
なお、前記したフローチャートには図示省略したが、ハンディターミナル１８からも説明員による、来場者のパーミッションに基づく名刺イメージ画像の転送機会がある。
名刺情報登録装置１０は、これを通信部１６０、主制御部１０１経由で、転送データ受信部１１２が受信し、名刺情報生成部１０９へ出力し、前記同様、名刺情報生成部１０９でパーミッションコードとの紐付けが行なわれる。
【００６４】
前記した本発明の実施の形態に係る名刺情報登録装置によれば、来場者（アンケートの回答者）のパーミッション（許可）の下で名刺情報の取得が可能である。また、来場者自身に、出展者のどの商品やサービスの何に関心を持ってもらったか、あるいはその後のコンタクトをどのような形態で望んでいるのかについてのアンケートをＬＣＤタッチパネル等の表示入力部１１０を操作者自身に操作してもらい、来場者が自ら選択した条件を紐付けした名刺情報ＤＢ２００を自動的に作成することができる。
【００６５】
また、展示会のみならず、流通業やサービス業の店舗では、普段は画面に広告を流し、広告された商品に関心をいただいた顧客に名刺をスキャンしてもらうといった使い方も可能である。このように、本発明の実施の形態に係る名刺情報登録装置によれば、名刺を取得するために「人」を介在させない仕組みを提供することで、銀行の窓口よりも、ＡＴＭ（Automatic Teller Machine）を利用する人たちのメンタリティと同じトレンドで活用できる。
【００６６】
なお、読取りが終了した名刺現物は、セールス毎に保管するか、組織として保管するか、破棄するか、等は組織の運用ルールで決められる。ここでは、組織として保管する形態をとるため、読取り後は、自動的に施錠可能な名刺収納箱１０ｂに収納されることになっている。このため、会社の重要な財産である名刺データの紛失が無くなり、目的外使用の危険性も無く、情報の保護が可能になる。
【００６７】
また、来場者は、携行するＲＦＩＤ内蔵の携帯電話を名刺情報登録装置１０が有する非接触ＩＣタグＲ／Ｗ部１４０のセンサ面に近づけることにより、後日、あらためてコンタクトの機会を得る、あるいは興味がある商品の詳細を知ることができる。すなわち、主制御部１０１による制御の下、ＵＲＬ送信部１１４は、携帯電話がセンサ面に近づけられたことを検知して企業のＵＲＬを要求のあった携帯電話に送信する。このことにより、来場者は、即時に、あるいは、都合の良い機会にそのＵＲＬによりサイトをアクセスすることで、会場に出向き名刺情報登録装置１０を操作した場合と同様の効果が得られる。
【００６８】
出展企業は、来場者の選択した条件に沿って名刺情報を活用すれば良いため、その後のコンタクトは的を得たものになる。また、出展企業は、取得した名刺が流出し、あるいはデータが漏洩しないようにセキュリティを確保する必要があり、このため、以下に説明するシステムを構築することにより、名刺情報を活用するものとする。
【００６９】
図１２は、名刺情報登録システムのシステム構成の一例を示す図である。図１２に示されるように、名刺情報登録システムは、名刺情報登録装置１０と、この名刺情報登録装置１０とは、第１のネットワーク（ここではＬＡＮ１４）経由で接続される管理者装置１１と、閲覧専用ビューア１２ａを有する閲覧装置である複数のユーザＰＣ１２と、統合管理装置であるアプリケーションサーバ１３と、により構成される。
【００７０】
また、アプリケーションサーバ１３には、更に、第２のネットワーク（ここでは無線通信網およびＩＰ（Internet Protocol）網１５）経由で複数の外部装置（ここでは、ＷＷＷ（World Wide Web）接続環境を有する携帯電話１７）が接続されている。また、無線通信網およびＩＰ網１５には、ネットワーク上に用意されたデータ保管用のディスクスペースの貸し出しサービスを行なう、通信事業者が管理運営する不図示のオンラインストレージサーバが更に接続されているものとする。
【００７１】
なお、名刺情報登録装置１０は、近距離無線通信（ここでは無線ＬＡＮ１６）により接続され、説明員が操作するハンディターミナル１８も含むものとする。このため、名刺情報登録装置１０、およびハンディターミナル１８は、いずれも無線ＬＡＮアダプタを内蔵するものとする。
【００７２】
前記した構成において、名刺情報登録装置１０は、後記するように、単体で、あるいはハンディターミナル１８からの名刺イメージ画像のデータ転送を受けて、ＯＣＲ変換して得られる名刺テキスト変換データに、表示される広告コンテンツに対し入力され取込まれるアンケート入力結果を関連付けて名刺情報ＤＢ２００を構築する。そして、その名刺情報ＤＢ２００を、所定の公開ルールにしたがい、例えば、社員が操作する閲覧専用ビューア１２ａを有するユーザＰＣ１２にＬＡＮ１４経由で、あるいは無線通信網およびＩＰ網１５経由で接続される携帯電話１７に公開する。
【００７３】
このとき、閲覧専用ビューア１２ａを有するユーザＰＣ１２、および携帯電話１７は、名刺情報登録装置１０に対し、ＬＡＮ１４、あるいは無線通信網およびＩＰ網１５を介し、予め割当てられたセキュリティコードに基づく名刺情報閲覧要求を送信し、名刺情報登録装置１０は、セキュリティコードに基づき特定される個人名、もしくは個人が所属するグループを単位に予め設定されたアクセス権限にしたがい検索出力した名刺情報を、要求のあった閲覧専用ビューア１２ａを有するユーザＰＣ１２、もしくは携帯電話１７に送信する。
【００７４】
なお、オンラインストレージサービスを利用する場合に限り、携帯電話１７は、アプリケーションサーバ１３からではなくオンラインストレージサーバから所望の名刺データを取得することになる。このオンラインストレージサービスを利用しない場合、アプリケーションサーバ１３は、名刺データをＷｅｂデータ形式に変換して要求のあった携帯電話１７へ送信する必要がある。ここでは、通信事業者が提供するオンラインストレージサービスを利用するものとする。
【００７５】
管理者装置１１は、名刺情報登録装置１０によって読取られ生成される名刺テキスト変換データを管理者のチェックに基づき修正して名刺情報ＤＢ２００を再構築する。
このとき、名刺情報登録装置１０は、管理者装置１１からＬＡＮ１４経由で送信されるセキュリティコード（管理者名およびパスワード）を認証し、このセキュリティコードに基づく誤認識チェック要求の認証が成立した場合に、名刺情報ＤＢ２００を参照し、読取られた名刺情報をＬＡＮ１４経由で管理者装置１１に送信するとともに、管理者装置１１からＬＡＮ１４経由で送信される名刺情報の修正内容を名刺情報登録装置１０の名刺情報ＤＢ２００に反映させる。
【００７６】
図１３は、名刺情報登録装置の名刺情報閲覧処理についての動作を示すフローチャートである。以下、図１３に示すフローチャートを参照しながら、図１２に示す名刺情報登録システムの動作について詳細に説明する。
【００７７】
名刺情報閲覧要求は、閲覧専用ビューア１２ａを有するユーザＰＣ１２の他に、携帯電話１７、および管理者装置１１によってもＯＣＲ誤認識チェックのために発行され、名刺情報登録装置１０によって受け付けられる（ステップＳ１３０１）。
【００７８】
閲覧専用ビューア１２ａを有するユーザＰＣ１２により生成される名刺データ閲覧要求である場合（ステップＳ１３０２“ユーザＰＣ”）、通信部１６０を介して制御部１００の要求受信部１１５により取り込まれ、名刺データ閲覧要求に付属の要求者の名前とパスワードからなるセキュリティコードは、アクセス認証部１１６へ引き渡される。このとき、アクセス認証部１１６は、セキュリティコードの認証を行なうとともに（ステップＳ１３０３）、アクセス権限の認証も行ない（ステップＳ１３０４）、認証が成立した場合（ステップＳ１３０４“Ｙｅｓ”）、名刺情報検索部１１７による名刺情報ＤＢ２００の参照を許可する。認証が不成立の場合（ステップＳ１３０４“Ｎｏ”）、処理を終了する。
【００７９】
名刺情報検索部１１７は、記憶部１５０の所定の領域に割当てられ構築された名刺情報ＤＢ２００を先に認証した要求者のアクセス権限の範囲で検索し（ステップＳ１３０５）、ヒットした名刺情報は、名刺情報送信部１１８により、通信部１６０、ＬＡＮ１４を介して要求のあった閲覧専用ビューア１２ａを有するユーザＰＣ１２に送信し（ステップＳ１３０６）、処理を終了する。なお、図示していないが、ヒットする名刺データが無い場合、すなわち、要求者にアクセス権限が無い場合は、前記した一連の名刺データ閲覧処理は終了する。
【００８０】
一方、携帯電話１７により生成される名刺情報閲覧要求である場合（ステップＳ１３０２“携帯電話”）、無線通信網およびＩＰ網１５を介して不図示のオンラインストレージサーバで受信される。オンラインストレージサーバは、名刺データ閲覧要求に付属の予め登録済みの要求者ＩＤ、パスワードからなるセキュリティコードを認証後（ステップＳ１３０７）、認証成立した場合（ステップＳ１３０８“Ｙｅｓ”）、名刺情報ＤＢ（ここでは、オンラインストレージサーバ上に構築される）の検索を行い（ステップＳ１３０９）、検索の結果得られる名刺情報を無線通信網およびＩＰ網１５経由で要求のあった携帯電話１７に送信し（ステップＳ１３０６）、処理を終了する。ステップＳ１３０８の認証成立判定処理で認証が不成立の場合（ステップＳ１３０８“Ｎｏ”）、処理を終了する。
【００８１】
なお、前記したオンラインストレージサービスを利用しない場合、携帯電話１７により生成される名刺情報閲覧要求は、無線通信網およびＩＰ網１５、アプリケーションサーバ１３、ＬＡＮ１４、名刺情報登録装置１０の通信部１６０経由で制御部１００の要求受信部１１５により取り込まれる。
【００８２】
そして、アクセス認証部１１６による名刺情報閲覧要求に付属の要求者の名前とパスワードからなるセキュリティコードの認証が行なわれ、認証が成立した場合に名刺情報検索部１１７による名刺情報ＤＢ２００のアクセス権限に基づく参照が許可される。そして、得られる名刺情報は、名刺情報送信部１１８で、あるいはＬＡＮ１４経由でアプリケーションサーバ１３においてＷｅｂデータ形式に変換され、無線通信網およびＩＰ網１５経由で要求のあった携帯電話１７に送信される。
【００８３】
次に、管理者装置１１により生成される誤認識チェックのための名刺情報閲覧要求である場合（ステップＳ１３０２“管理者装置”）、要求受信部１１５で受信され、アクセス認証部１１６で管理者名とパスワードに基づくセキュリティコード認証が行われる（ステップＳ１３１０）。
【００８４】
ここで、認証が成立すると更にアクセス権限のチェックが行なわれ（ステップＳ１３１１）、ここで、いずれも認証が成立すると（ステップＳ１３１１“Ｙｅｓ”）、名刺情報検索部１１７が許可されたアクセス権限の範囲で記憶部１５０の名刺情報ＤＢ２００を検索する（ステップＳ１３１２）。認証が不成立の場合（ステップＳ１３１１“Ｎｏ”）、処理を終了する。
【００８５】
そして、ステップＳ１３１２の名刺情報ＤＢ２００の検索処理により得られる名刺情報は名刺情報送信部１１８に出力され、名刺情報送信部１１８は、通信部１６０、およびＬＡＮ１４経由で要求のあった管理者装置１１に出力される（ステップＳ１３１３）。なお、誤認識チェック要求についてはアクセス制限が無いものとするため、ここでは、要求発生までに蓄積された所定枚数の名刺情報が検索出力される。
【００８６】
名刺情報を受信した管理者装置１１では、受信した名刺情報毎に、管理者装置１１の画面上に、名刺そのもののイージ画像と、ＯＣＲ変換された名刺テキスト変換データが対で表示される。管理者は、画面表示された名刺テキスト変換データと、対応する名刺イメージ画像とを比較しながら目視で確認を行ない、修正要の場合は（ステップＳ１３１４“Ｙｅｓ”）、管理者装置１１を操作して修正済みの名刺情報をＬＡＮ１４経由で名刺情報登録装置１０へ送信する。一方、修正要でない場合は（ステップＳ１３１４“Ｎｏ”）、処理を終了する。
【００８７】
名刺情報登録装置１０は、管理者装置１１により送信される誤認識チェック済みの名刺情報を制御部１００（名刺情報受信部１１９）が通信部１６０経由で受信し（ステップＳ１３１５“Ｙｅｓ”）、名刺情報更新部１２２により、記憶部１５０の所定の領域に記憶された名刺情報ＤＢ２００を更新する（ステップＳ１３１６）。一方、ステップＳ１３１５において、名刺情報の受信がなかった場合は（ステップＳ１３１５“Ｎｏ”）、 名刺情報更新部１２２は、名刺情報の受信があるまで受信確認を続ける。
【００８８】
なお、ここでは、携帯電話１７は、通信事業者によるオンラインストレージサービスを利用するため、名刺情報登録装置１０、あるいは管理者装置１１は、アプリケーションサーバ１３に名刺情報ＤＢ２００に蓄積された名刺情報を転送し、アプリケーションサーバ１３は、転送を受けた名刺情報を無線通信網およびＩＰ網１５経由でオンラインストレージサーバへ登録する必要がある。
【００８９】
また、前記したフローチャートには図示省略したが、管理者装置１１は、記憶部１５０の所定の領域に割当てられ構築される名刺情報ＤＢ２００に含まれるリザルトコードに基づき、所定のテキスト項目別にソートされたコンタクトリストを不定期に生成するツールを有する。例えば、取引先名刺取得リスト、セールス別名刺取得リスト、地域別名刺取得リスト等であり、これらコンタクトリストは、セキュリティコードによる認証を経て閲覧専用ビューア１２ａを有するユーザＰＣ１２や携帯電話１７でも閲覧が可能である。このことにより、名刺情報ＤＢ２００を組織のコンタクト集積として管理活用することができる。
【００９０】
なお、厳密にアクセス制御を行なおうとした場合、例えば、管理者が誤認識チェックと同時に名刺１枚毎に個人に対してアクセス権限を設定してもよい。この場合、管理者装置１１により、例えば、コンタクトを担当する個人、および管理者にのみアクセスを許可する場合はセキュリティレベルを“０”、コンタクトを行なう部署に所属する従業員にアクセスを許可する場合は“１”、アクセス制限なしの場合は“２”として名刺情報ＤＢ２００のデータ項目に設定し、名刺閲覧要求を受信したときに名刺情報登録装置１０（制御部１００）のアクセス認証部１１６がこのデータ項目にしたがい検索範囲を制御することになる。
【００９１】
また、図６に示す制御部１００が有する機能は、全てをソフトウェアによって実現しても、あるいはその少なくとも一部をハードウェアで実現してもよい。例えば、記憶部１５０に記憶された名刺情報に、表示入力部１１０により表示された広告コンテンツに対して取込まれるアンケート入力を関連付ける制御部１００におけるデータ処理、あるいは、閲覧装置（閲覧専用ビューア１２ａを有するユーザＰＣ１２、あるいは携帯電話１７）から送信される名刺閲覧要求に基づき特定される個人、もしくは個人が所属するグループを単位に予め設定されたアクセス権限にしたがって記憶部１５０を検索して得られる名刺情報を、通信部１６０を介し、要求のあった閲覧装置に送信する制御部１００におけるデータ処理は、１または複数のプログラムによりコンピュータ上で実現してもよく、また、その少なくとも一部をハードウェアで実現してもよい。
【００９２】
また、本発明の実施の形態に係る名刺情報作成方法は、例えば、図３において、画像情報を表示して操作入力を取込む表示入力部１１０と、名刺情報を読取る名刺情報読取部１２０と、前記名刺情報を記憶する記憶部１５０と、前記表示入力部１１０、前記名刺情報読取部１２０、前記記憶部１５０を制御する制御部１００と、を備えた名刺情報登録装置１０における名刺情報作成方法であって、例えば、図７、図８において、前記表示入力部１１０が、前記制御部１００により生成される広告コンテンツを表示するステップ（Ｓ７０１、Ｓ７０３）と、前記表示入力部１１０が前記広告コンテンツに対するアンケート入力結果を取込むステップ（Ｓ７０５〜Ｓ７０８）と、前記名刺情報読取部１２０が、前記アンケート入力結果を取込んだ後、前記表示入力部に表示される案内にしたがい名刺がセットされたことを契機に前記名刺をスキャンしてイメージ画像と変換されたテキストとからなる名刺情報を読取るステップ（Ｓ７０９〜Ｓ７１２）と、前記制御部１００が、前記読取られた名刺情報に前記表示入力部により取込まれるアンケート結果を関連付けて前記記憶部に登録するステップ（Ｓ７１６）と、を有するものである。
【００９３】
前記した本発明の実施の形態に係る名情報作成方法によれば、来場者自身に、出展者のどの商品やサービスの何に関心を持ってもらったか、あるいはその後のコンタクトをどのような形態で望んでいるのかについてのアンケートを、表示入力部１１０を操作してもらうことにより、来場者が自ら選択した条件を紐付けした名刺情報ＤＢ２００を自動的に作成することができる。このため、作成した名刺情報ＤＢ２００を後日のコンタクトに役立てることができ、タイムリーな商談に結びつけることができる。
【００９４】
また、閲覧装置（閲覧専用ビューア１２ａを有するユーザＰＣ１２、あるいは携帯電話１７）から送信される名刺閲覧要求に基づき特定される個人、もしくは個人が所属するグループを単位に予め設定されたアクセス権限にしたがい検索して得られる名刺情報を、要求のあった閲覧装置に送信することにより、閲覧装置（閲覧専用ビューア１２ａを有するユーザＰＣ１２）は勿論のこと、外出先からも携帯電話１７等により名刺情報を閲覧することができ、したがって、コンタクトの機会を逸することなくタイムリーな商談に結びつけることができ、業務の効率化、スピードアップに貢献できる。
【図面の簡単な説明】
【００９５】
【図１】本発明の実施の形態に係る名刺情報登録装置の外観構造の一例を示す図である。
【図２】ハンディターミナルの外観構造の一例を示す図である。
【図３】名刺情報登録装置の制御基板の内部構成を示すブロック図である。
【図４】名刺情報登録装置の名刺情報ＤＢのデータ構造の一例を示す図である。
【図５】ハンディターミナルの内部構成を示すブロック図である。
【図６】名刺情報登録装置の制御部が実行するプログラムの構造を機能展開して示したブロック図である。
【図７】名刺情報登録装置の名刺情報作成動作を示すフローチャートである。
【図８】名刺情報登録装置の名刺情報作成動作を示すフローチャートである。
【図９】名刺情報登録装置の画面構成の一例を示す図である。
【図１０】名刺情報登録装置の画面構成の他の例を示す図である。
【図１１】名刺情報登録装置の画面構成の更に他の例を示す図である。
【図１２】名刺情報登録システムのシステム構成の一例を示す図である。
【図１３】名刺情報登録システムの動作を示すフローチャートである。
【符号の説明】
【００９６】
１    ＬＣＤタッチパネル
２    名刺リーダ
４    開口部
５    錠
１０    名刺情報登録装置
１０ａ    名刺情報登録装置本体
１０ｂ    名刺収納箱
１１    管理者装置
１２    ユーザＰＣ（閲覧装置）
１２ａ    閲覧専用ビューア
１３    アプリケーションサーバ（統合管理装置）
１４    ＬＡＮ（第１のネットワーク）
１５    無線通信網およびＩＰ網（第２のネットワーク）
１６    無線ＬＡＮ
１７    携帯電話
１００    制御部
１１０    表示入力部
１２０    名刺読取部
１３０    撮像部
１４０    非接触ＩＣタグＲ／Ｗ部
１５０    記憶部
１６０    通信部
１０１    主制御部
１０２    表示情報生成部
１０３    描画・表示制御部
１０４    画像記憶部
１０５    データ入力取得部
１０６    名刺画像取得部
１０７    ＯＣＲ変換部
１０８    顔画像取得部
１０９    名刺情報生成部
１１１    抽選処理部
１１２    転送データ受信部
１１３    電子看板同期化部
１１４    ＵＲＬ送信部
１１５    要求受信部
１１６    アクセス認証部
１１７    名刺情報検索部
１１８    名刺情報送信部
１１９    名刺情報受信部
１２１    暗号化処理部
１２２    名刺情報更新部
１８０    ＣＰＵ
１８１    ＲＡＭ
１８２    ＬＣＤタッチパネル
１８３    キースイッチ
１８４    カメラ
１８５    無線ＬＡＮアダプタ
２００    名刺情報ＤＢ
【図１】
2009288955.tif 000003
【図２】
2009288955.tif 000004
【図３】
2009288955.tif 000005
【図４】
2009288955.tif 000006
【図５】
2009288955.tif 000007
【図６】
2009288955.tif 000008
【図７】
2009288955.tif 000009
【図８】
2009288955.tif 000010
【図９】
2009288955.tif 000011
【図１０】
2009288955.tif 000012
【図１１】
2009288955.tif 000013
【図１２】
2009288955.tif 000014
【図１３】
2009288955.tif 000015